(57)【特許請求の範囲】
【請求項１】
シース付高圧ＣＶケーブルのシース（本来高圧ケーブルと絶縁されて高圧ケーブルを巻回している金属遮蔽層を言う。以下同じ。防食層を指していない。以下同じ。）電流の時間関数又はシース電圧の時間関数を取得するシース側取得部と、
前記シース付高圧ＣＶケーブルの交流の変圧器を経た低圧側の電圧の時間関数又は電流の時間関数を取得する低圧側取得部と、
低圧側取得部にて取得された低圧側の電圧の時間関数又は低圧側の電流の時間関数に基づいて高圧側の電圧の時間関数又は高圧側の電流の時間関数を演算する高圧側時間関数演算部と、
前記シース側取得部で取得されたシース電流の時間関数又はシース電圧の時間関数と、前記高圧側時間関数演算部にて演算された高圧側の電圧の時間関数又は高圧側の電流の時間関数と、に基づいて、シース電流の位相又はシース電圧の位相が、完全に絶縁されていたと仮定した場合のシース電流の位相又はシース電圧の位相からどの程度の位相ずれ量があるか、を演算する位相ずれ量演算部と、
演算された位相ずれ量に基づいて前記シース付高圧ＣＶケーブルの絶縁劣化を示す情報である絶縁劣化情報を取得する絶縁劣化情報取得部と、
を有する高圧ＣＶケーブル絶縁劣化情報取得装置。
【請求項２】
前記絶縁劣化情報取得部は、
演算された位相ずれ量に基づいて絶縁劣化情報を取得するための位相ずれ量・絶縁劣化情報取得ルールを保持する位相ずれ量・絶縁劣化情報取得ルール保持手段を有する請求項１に記載の高圧ＣＶケーブル絶縁劣化情報取得装置。
【請求項３】
前記絶縁劣化情報取得部は、
実際にケーブルを調査して入手した絶縁劣化情報である実測絶縁劣化情報を取得する実測絶縁劣化情報取得手段と、
取得した実測絶縁劣化情報に基づいて位相ずれ量・絶縁劣化情報取得ルールを修正するルール修正手段と、をさらに有する請求項１又は請求項２に記載の高圧ＣＶケーブル絶縁劣化情報取得装置。
【請求項４】
シース付高圧ＣＶケーブルのシース電流の時間関数又はシース電圧の時間関数を取得するシース側取得ステップと、
前記シース付高圧ＣＶケーブルの交流の変圧器を経た低圧側の電圧の時間関数又は電流の時間関数を取得する低圧側取得ステップと、
前記低圧側取得ステップにて取得された低圧側の電圧の時間関数又は低圧側の電流の時間関数に基づいて高圧側の電圧の時間関数又は高圧側の電流の時間関数を演算する高圧側時間関数演算ステップと、
前記シース側取得ステップで取得されたシース電流の時間関数又はシース電圧の時間関数と、前記高圧側時間関数演算ステップにて演算された高圧側の電圧の時間関数又は高圧側の電流の時間関数と、に基づいて、シース電流の位相又はシース電圧の位相が、完全に絶縁されていたと仮定した場合のシース電流の位相又はシース電圧の位相からどの程度の位相ずれ量があるか、を演算する位相ずれ量演算ステップと、
演算された位相ずれ量に基づいて前記シース付高圧ＣＶケーブルの絶縁劣化を示す情報である絶縁劣化情報を取得する絶縁劣化情報取得ステップと、
を有するコンピュータである高圧ＣＶケーブル絶縁劣化情報取得装置の動作方法。
【請求項５】
前記絶縁劣化情報取得ステップは、
演算された位相ずれ量に基づいて絶縁劣化情報を取得するための位相ずれ量・絶縁劣化情報取得ルールを保持する位相ずれ量・絶縁劣化情報取得ルール保持サブステップを有する請求項４に記載のコンピュータである高圧ＣＶケーブル絶縁劣化情報取得装置の動作方法。
【請求項６】
前記絶縁劣化情報取得ステップは、
実際にケーブルを調査して入手した絶縁劣化情報である実測絶縁劣化情報を取得する実測絶縁劣化情報取得サブステップと、
取得した実測絶縁劣化情報に基づいて位相ずれ量・絶縁劣化情報取得ルールを修正するルール修正サブステップと、をさらに有する請求項４又は請求項５に記載のコンピュータである高圧ＣＶケーブル絶縁劣化情報取得装置の動作方法。
【請求項７】
シース付高圧ＣＶケーブルのシース電流の時間関数又はシース電圧の時間関数を測定するシース側測定部と、
測定されたシース電流の時間関数又はシース電圧の時間関数を蓄積するシース側蓄積部と、
前記シース付高圧ＣＶケーブルの交流の変圧器を経た低圧側の電圧の時間関数又は電流の時間関数を測定する低圧側測定部と、
測定された低圧側の電圧の時間関数又は電流の時間関数を前記シース側測定部で測定されたシース電流の時間関数又はシース電圧の時間関数と同じ時間軸を用いて蓄積する低圧側蓄積部と、
を有する高圧ＣＶケーブル絶縁劣化測定装置。
【請求項８】
前記シース付高圧ＣＶケーブルは、単心形又は三心一括形のケーブル、あるいはトリプレックスケーブルである請求項７に記載の高圧ＣＶケーブル絶縁劣化測定装置。
【発明の詳細な説明】
【技術分野】
【０００１】
本発明は、電力会社から給電される高圧の電気を高圧気中負荷開閉器から高圧受変電設備に引き込むシース付高圧ＣＶケーブルの絶縁劣化を把握するのに用いられる高圧ＣＶケーブル絶縁劣化情報取得装置に関する。
【背景技術】
【０００２】
上記したシース付高圧ＣＶケーブルは、導体を中心にしてこの導体を内部半導電層、架橋ポリエチレン絶縁体、外部半導電層、金属遮蔽層及びシース（防食層）で順次被覆して成っている。
【０００３】
電気設備で発生する事故のうち、このシース付高圧ＣＶケーブルの自然劣化に起因する停電事故が多くの割合を占めていることから、このシース付高圧ＣＶケーブルに起因する電気事故を未然に防ぐために、電気保安業界では、様々な絶縁劣化の診断技術が開発されており、高圧や特別高圧等の電圧階級や、現場の実情に応じた実用化が成されている。
【０００４】
その中で、電圧階級が２２ｋＶ以下の現場に採用される絶縁劣化の診断技術としては、例えば、絶縁抵抗法，直流漏れ電流法，直流電圧重畳法，交流電圧重畳法，低周波重畳法及び活線Tanδ法が挙げられる。
【０００５】
絶縁抵抗法は、検出対象が絶縁抵抗の低下を伴う劣化であり、停電環境下において絶縁抵抗計を用いて絶縁抵抗値を計測する。
直流漏れ電流法は、導体と金属遮蔽層間に直流高圧を印加して（直流高圧をかけて）直流漏れ電流を測定するオフライン診断法であり、絶縁抵抗法と同じく停電環境下において測定され、漏れ電流の大きさや、漸増又は急増現象の有無や、キック現象の有無などから絶縁抵抗の低下を判定する。
【０００６】
直流電圧重畳法は、５０Ｖの直流電圧を高圧母線に重畳し、シース付高圧ＣＶケーブル接地線から検出される直流電流から絶縁抵抗値を算出して劣化の度合いを判定するオンライン診断法である。停電環境が不要であるものの測定に用いる装置が大型且つ高額である。
【０００７】
交流電圧重畳法は、交流電圧が印加された水トリー劣化ケーブルに遮蔽層から商用周波数の２倍＋１Ｈｚ（１０１Ｈｚ又は１２１Ｈｚ）の交流電圧を重畳すると、１Ｈｚの劣化信号が発生するという原理を利用した方法である。シース付高圧ＣＶケーブル接地線から交流電圧を重畳し、そこに流れる１Ｈｚの信号を検出して劣化の度合いを判定するオンライン診断法である。直流電圧重畳法と同様に、停電環境が不要であるものの測定に用いる装置が大型且つ高額である。
【０００８】
低周波重畳法は、７．５Ｈｚ−２０Ｖの低周波電圧を高圧母線から重畳して、シース付高圧ＣＶケーブル接地線から低周波成分の損失電流を分離検出し、交流絶縁抵抗値を算出して水トリー劣化の度合いを算出するオンライン診断法であり、装置が大掛かりで複数の作業員の操作が必要である。
【０００９】
活線Tanδ法は、絶縁体が吸水した場合や水トリーが発生するとTanδが増加するので、劣化状況を推定する有力な手掛かりになる。活線下で測定対象のシース付高圧ＣＶケーブルの電圧信号と充電電流信号を測定器Tanδメータに取り込み、その位相差からシース付高圧ＣＶケーブルのTanδを算出する方式である。測定器Tanδメータが高額である。
なお、上記において、「オンライン診断法」とは、設備の停止を必要としない絶縁劣化の診断であり、「オフライン診断法」とは、設備を停止させて行う絶縁試験である。
また、「キック現象」とは、瞬間的に電流が突出する現象のことである（図１３参照。）。
【００１０】
これらの絶縁劣化の診断技術は、それぞれが長所短所を併せ持っているが、需要家のニーズの高度化により、停電状態で行われる絶縁抵抗法，直流漏れ電流法及び活線Tanδ法よりも、停電を伴わない直流電圧重畳法，交流電圧重畳法及び低周波重畳法が主に採用される傾向にある。そして、近年では、例えば、特許文献１に記載された高圧ＣＶケーブルの絶縁劣化診断方法及び絶縁劣化診断装置のような、より需要家のニーズに応え得る活線劣化診断技術が開発されている。
【００１１】
この従来の高圧ＣＶケーブルの絶縁劣化診断方法では、商用三相交流の各相毎のＣＶケーブルを活線状態としたまま、これらのＣＶケーブルの遮蔽層に、低周波の診断用三相交流電圧を診断用三相交流電源により印加し、この状態で、各遮蔽層を一括して接地する接地線を流れる電流を測定して、そこに含まれる診断用三相交流電圧と同一周波数の電流成分を観察することによって絶縁劣化の程度を診断するようになっている。
【先行技術文献】
【特許文献】
【００１２】
【特許文献１】特開２００２−２５０７５０号公報
【発明の概要】
【発明が解決しようとする課題】
【００１３】
上記した高圧ＣＶケーブルの絶縁劣化診断方法では、停電を必要とすることなく、しかもこれまでの低周波重畳法よりも低コストでオンラインによる絶縁劣化診断ができる。
【００１４】
しかしながら、従来の高圧ＣＶケーブルの絶縁劣化診断方法では、三相交流を構成する各相の交流電圧に重畳させて診断用三相交流電圧を印加するための低周波の診断用三相交流電源を必要とすることから、これまでの低周波重畳法よりも低コスト化が成されているとは言え、より一層の低コスト化の要望を満たすまでには至っておらず、これを解決することが従来の課題となっている。
【００１５】
本発明は、上記した従来の課題を解決するために成されたものであり、装置の小型化及びより一層の低コスト化を実現したうえで、停電を必要とすることなく、遠隔操作によって絶縁劣化情報を得ることが可能である高圧ＣＶケーブル絶縁劣化情報取得装置を提供することを目的としている。
【課題を解決するための手段】
【００１６】
上記課題を解決するために、本発明は、以下の高圧ＣＶケーブル絶縁劣化情報取得装置を提供する。
すなわち、本発明の第一の態様は、シース付高圧ＣＶケーブルのシース電流の時間関数又はシース電圧の時間関数を取得するシース側取得部と、前記シース付高圧ＣＶケーブルの交流の変圧器を経た低圧側の電圧の時間関数又は電流の時間関数を取得する低圧側取得部と、低圧側取得部にて取得された低圧側の電圧の時間関数又は低圧側の電流の時間関数に基づいて高圧側の電圧の時間関数又は高圧側の電流の時間関数を演算する高圧側時間関数演算部と、前記シース側取得部で取得されたシース電流の時間関数又はシース電圧の時間関数と、前記高圧側時間関数演算部にて演算された高圧側の電圧の時間関数又は高圧側の電流の時間関数と、に基づいて、シース電流の位相又はシース電圧の位相が、完全に絶縁されていたと仮定した場合のシース電流の位相又はシース電圧の位相からどの程度の位相ずれ量があるか、を演算する位相ずれ量演算部と、演算された位相ずれ量に基づいて前記シース付高圧ＣＶケーブルの絶縁劣化を示す情報である絶縁劣化情報を取得する絶縁劣化情報取得部と、を有する構成としている。
【００１７】
また、本発明の第二の態様において、前記絶縁劣化情報取得部は、演算された位相ずれ量に基づいて絶縁劣化情報を取得するための位相ずれ量・絶縁劣化情報取得ルールを保持する位相ずれ量・絶縁劣化情報取得ルール保持手段を有する構成としている。
【００１８】
さらに、本発明の第三の態様において、前記絶縁劣化情報取得部は、実際にケーブルを調査して入手した絶縁劣化情報である実測絶縁劣化情報を取得する実測絶縁劣化情報取得手段と、取得した実測絶縁劣化情報に基づいて位相ずれ量・絶縁劣化情報取得ルールを修正するルール修正手段と、をさらに有する構成としている。
【００１９】
さらにまた、本発明の第四の態様に係るコンピュータである高圧ＣＶケーブル絶縁劣化情報取得装置の動作方法おいて、シース付高圧ＣＶケーブルのシース電流の時間関数又はシース電圧の時間関数を取得するシース側取得ステップと、前記シース付高圧ＣＶケーブルの交流の変圧器を経た低圧側の電圧の時間関数又は電流の時間関数を取得する低圧側取得ステップと、前記低圧側取得ステップにて取得された低圧側の電圧の時間関数又は低圧側の電流の時間関数に基づいて高圧側の電圧の時間関数又は高圧側の電流の時間関数を演算する高圧側時間関数演算ステップと、前記シース側取得ステップで取得されたシース電流の時間関数又はシース電圧の時間関数と、前記高圧側時間関数演算ステップにて演算された高圧側の電圧の時間関数又は高圧側の電流の時間関数と、に基づいて、シース電流の位相又はシース電圧の位相が、完全に絶縁されていたと仮定した場合のシース電流の位相又はシース電圧の位相からどの程度の位相ずれ量があるか、を演算する位相ずれ量演算ステップと、演算された位相ずれ量に基づいて前記シース付高圧ＣＶケーブルの絶縁劣化を示す情報である絶縁劣化情報を取得する絶縁劣化情報取得ステップと、を有する構成としている。
【００２０】
さらにまた、本発明の第五の態様において、前記絶縁劣化情報取得ステップは、演算された位相ずれ量に基づいて絶縁劣化情報を取得するための位相ずれ量・絶縁劣化情報取得ルールを保持する位相ずれ量・絶縁劣化情報取得ルール保持サブステップを有する構成としている。
【００２１】
さらにまた、本発明の第六の態様において、前記絶縁劣化情報取得ステップは、実際にケーブルを調査して入手した絶縁劣化情報である実測絶縁劣化情報を取得する実測絶縁劣化情報取得サブステップと、取得した実測絶縁劣化情報に基づいて位相ずれ量・絶縁劣化情報取得ルールを修正するルール修正サブステップと、をさらに有する構成としている。
【００２２】
一方、上記課題を解決するために、本発明は、以下の高圧ＣＶケーブル絶縁劣化測定装置を提供する。
すなわち、本発明の第七の態様に係る高圧ＣＶケーブル絶縁劣化測定装置は、シース付高圧ＣＶケーブルのシース電流の時間関数又はシース電圧の時間関数を測定するシース側測定部と、測定されたシース電流の時間関数又はシース電圧の時間関数を蓄積するシース側蓄積部と、前記シース付高圧ＣＶケーブルの交流の変圧器を経た低圧側の電圧の時間関数又は電流の時間関数を測定する低圧側測定部と、測定された低圧側の電圧の時間関数又は電流の時間関数を前記シース側測定部で測定されたシース電流の時間関数又はシース電圧の時間関数と同じ時間軸を用いて蓄積する低圧側蓄積部と、を有する構成としている。
【００２３】
さらにまた、本発明の第八の態様において、前記シース付高圧ＣＶケーブルは、単心形又は三心一括形のケーブル、あるいはトリプレックスケーブルである構成としている。
【００２４】
また、別の解決手段としては、シース電流の時間関数で得られるシース電流又はシース電圧由来の位相情報であるシース由来位相情報を取得するシース由来位相情報取得部と、
高圧ＣＶケーブルからの交流の変圧器を経た低圧側の低圧電流又は低圧電圧由来の位相情報である低圧由来位相情報を取得する低圧由来位相情報取得部と、
前記シース由来位相情報取得部で取得されたシース由来位相情報と、前記低圧由来位相情報取得部で取得された低圧由来位相情報と、に基づいて、前記シース由来位相情報で示される位相が、高圧ＣＶケーブルが完全に絶縁されていたと仮定した場合のシース由来位相情報で示される位相からどの程度の位相ずれ量があるか、を演算する位相ずれ量演算部と、
演算された位相ずれ量に基づいて前記シース付高圧ＣＶケーブルの絶縁劣化を示す情報である絶縁劣化情報を取得する絶縁劣化情報取得部と、を有する高圧ＣＶケーブル絶縁劣化情報取得装置を提供する。
【発明の効果】
【００２５】
本発明によれば、装置の小型化及びより一層の低コスト化を実現することができ、そのうえで、停電を必要とすることなく、遠隔操作によって高圧ＣＶケーブル絶縁劣化情報を得ることが可能であるという非常に優れた効果が得られる。
【図面の簡単な説明】
【００２６】
【図１Ａ】本発明の実施形態１に係る高圧ＣＶケーブル絶縁劣化情報取得装置の三相変圧器に対する位置関係を示すシステム構成図
【図１Ｂ】図1Ａにおける三相変圧器の高圧側と低圧側との結線の一例を示すスター・デルタ結線説明図
【図１Ｃ】図1Ａにおける三相変圧器の高圧側と低圧側との結線の他の例を示すデルタ・デルタ結線説明図
【図１Ｄ】図1Ａにおける三相変圧器の高圧側と低圧側との結線のさらに他の例を示すデルタ・スター結線説明図
【図１Ｅ】図1Ａにおける三相変圧器の高圧側と低圧側との結線のさらに他の例を示すスター・スター結線説明図
【図１Ｆ】図1Ａにおける単心形の高圧ＣＶケーブルの拡大断面図
【図２】実施形態１の高圧ＣＶケーブル絶縁劣化情報取得装置の機能ブロック図
【図３】実施形態１の高圧ＣＶケーブル絶縁劣化情報取得装置により取得される漏れ電流の位相と高圧側の電圧の位相との関係を示す位相差比較図
【図４】実施形態１の高圧ＣＶケーブル絶縁劣化情報取得装置のハードウェア構成例を示す図
【図５】実施形態１の高圧ＣＶケーブル絶縁劣化情報取得装置のハードウェアによる動作処理フローチャート
【図６Ａ】実施形態１の高圧ＣＶケーブル絶縁劣化情報取得装置が絶縁劣化情報取得対象とする他の高圧ＣＶケーブルである三心一括形の高圧ＣＶケーブルの拡大断面図
【図６Ｂ】実施形態１の高圧ＣＶケーブル絶縁劣化情報取得装置が絶縁劣化情報取得対象とするさらに他の高圧ＣＶケーブルであるトリプレックスケーブルの拡大断面図
【図７】実施形態２の高圧ＣＶケーブル絶縁劣化情報取得装置の機能ブロック図
【図８】実施形態２の高圧ＣＶケーブル絶縁劣化情報取得装置に演算により取得される絶縁劣化情報と実測絶縁劣化情報との関係を示す比較図
【図９】実施形態２の高圧ＣＶケーブル絶縁劣化情報取得装置のハードウェア構成例を示す図
【図１０】実施形態２の高圧ＣＶケーブル絶縁劣化情報取得装置のハードウェアによる動作処理フローチャート
【図１１】本発明の実施形態３に係る高圧ＣＶケーブル絶縁劣化測定装置の三相変圧器に対する位置関係を示すシステム構成図
【図１２】本発明の実施形態３に係る高圧ＣＶケーブル絶縁劣化測定装置の機能ブロック図
【図１３】絶縁劣化した高圧ＣＶケーブルの漏れ電流に表れるキック現象の説明図
【発明を実施するための形態】
【００２７】
以下に、本発明の実施形態を説明する。実施形態と請求項の相互の関係は以下のとおりである。実施形態１は主に請求項１，２，４，５，８に関し、実施形態２は主に請求項３，６に関し、実施形態３は主に請求項７に関する。なお、本発明はこれらの実施形態に何ら限定されるものではなく、その要旨を逸脱しない範囲において、種々なる態様で実施し得る。
【００２８】
＜ハードウェアの説明＞
以下に記載する本発明の計算機は、一例としてマザーボード上などに備えられる、ＣＰＵ、不揮発性メモリ、メインメモリ、グラフィックカード、さらにＩ／Ｏコントローラ、ＵＳＢやＩＥＥＥ。ＬＡＮなどのインターフェースや、ＢＩＯＳ、ＰＣＩスロット、リアルタイムクロックなど、及び、これらを相互に接続するバス並びにバスを接続するチップセット（ノースブリッジ、サウスブリッジ）から構成される。
「バス」は、ＣＰＵ（ＭＰＵ）と、周辺機器や各種制御部を繋ぐために備えられる。又、バスは前述のチップセットによって連結される。
「ＣＰＵ」（ＭＰＵ）は、メインメモリ上にあるプログラムと呼ばれる命令列を順に読み込んで解釈・実行することで信号からなる情報を同じくメインメモリ上に出力する。この「ＣＰＵ」は計算機内での演算を行なう中心として機能する。
「不揮発性メモリ」（ＨＤＤ）の一例はハードディスクドライブである。基本構造は、磁気ディスク、磁気ヘッド、および磁気ヘッドを搭載するアームから構成される。
なお、不揮発性メモリとしては「ＮＡＮＤフラッシュ」から構成されるＳＳＤをＨＤＤとともに採用してもよいし、ＨＤＤに置き換えて採用してもよい。
メインメモリは、揮発性のメモリで構成される。最も代表的なものはダイナミックラムである。
Ｉ／Ｏコントローラは、外部機器との接続に利用される。ＵＳＢコネクタもその一例である。
ＩＥＥＥ１３９４コネクタは、最も代表的な通信規格のインターフェースである。
ＯＳ（オペレーティングシステム）は、コンピュータを稼働するための基本ソフトウェアである。ユーザやアプリケーションプログラムに対してインターフェースを提供し、ハードウェアなどの機能部や、各リソースに対して効率的な管理を行う役割を果たす。
デバイスドライバは、オペレーティングシステムを介して計算機に付属する各種のデバイスをユーザやアプリケーションに利用可能等するためのデバイスのハードウェアを制御するためのプログラムである。
＜実施形態１（主に請求項１，２に対応）＞
＜概要＞
【００２９】
本実施形態に係る高圧ＣＶケーブル絶縁劣化情報取得装置は、高圧受変電設備への引込ケーブルとして使用される高圧ＣＶケーブルの絶縁劣化を把握する装置である。この高圧ＣＶケーブル絶縁劣化情報取得装置は、高圧ＣＶケーブルが絶縁劣化を起こした場合に、その高圧ＣＶケーブルに施されたシースアースを流れるシース電流の時間関数又はシース電圧の時間関数と、高圧側の電圧の時間関数又は高圧側の電流の時間関数と、に基づいて、シース付高圧ＣＶケーブルが完全に絶縁されている場合と比較して、シース電流の時間関数又はシース電圧の時間関数の中・長期（１ヶ月〜数ヶ月）における変動漸増傾向から、シース付高圧ＣＶケーブルの絶縁劣化の程度を判定するようにしたことを主たる特徴とする。
【００３０】
本実施形態に係る高圧ＣＶケーブル絶縁劣化情報取得装置では、装置の小型化及びより一層の低コスト化を実現したうえで、停電を必要とすることなく、遠隔操作によって高圧ＣＶケーブルの絶縁劣化の程度を把握することが可能になるという効果を奏する。
＜構成＞
【００３１】
図１Ａに示すように、本実施形態の高圧ＣＶケーブル絶縁劣化情報取得装置０１００は、電源である電力会社から電流又は電圧の位相を互いにずらした３系統の単相交流を組み合わせた三相交流の高圧（例えば、６６００Ｖ）の電気が給電される三相変圧器０１２０に付設されて、この三相変圧器０１２０の電源側に位置する３個の高圧側端子０１２１，０１２１，０１２１に電気を引き込む３本の単心形の高圧ＣＶケーブル０１３０，０１３０，０１３０の絶縁劣化を把握するのに用いられる。
【００３２】
この場合、三相変圧器０１２０は、降圧用の変圧器として用いられ、その電源側に位置する一次側である高圧側と二次側である低圧側との結線は、スター結線とデルタ結線を組み合わせた図１Ｂに示すスター・デルタ結線となっている。
ここで、「スター結線」とは、三相交流の三相各相をその一端の中性点で接続する結線であり、「デルタ結線」とは、三相交流の三相各相を相電圧が加わる向きに接続して閉回路とする結線である。
なお、高圧側と低圧側との結線は、スター・デルタ結線に限定されるものではなく、図１Ｃに示すデルタ・デルタ結線や、図１Ｄに示すデルタ・スター結線や、図１Ｅに示すスター・スター結線であってもよい。
上述のスター結線とデルタ結線を組み合わせた「スター・デルタ結線」では、第３高調波の環流・吸収が可能であり、ひずみ波の発生が少なくなる。
また、デルタ結線同士を組み合わせた「デルタ・デルタ結線」では、回路の一部が第３高調波を環流して吸収するため、ひずみ波が少なくなる。
さらに、デルタ結線とスター結線を組み合わせた「デルタ・スター結線」では、やはり第３高調波の環流回路があるので、ひずみ波が発生しにくくなる。
さらにまた、スター結線同士を組み合わせた「スター・スター結線」では、電源側（１次側）及び負荷側（２次側）の双方に中性点を有するので、どちらでも接地が可能であり、回路の保守及び保護が容易である。
【００３３】
この三相変圧器０１２０の低圧側には、３本の低圧側ケーブル０１２２，０１２２，０１２２が接続された３個の低圧側端子０１２３，０１２３，０１２３が配置してあり、本実施形態の高圧ＣＶケーブル絶縁劣化情報取得装置０１００は、これらの低圧側端子０１２３，０１２３，０１２３から引いた電圧ケーブル０１２４，０１２４，０１２４を介して低圧電源（２００Ｖ）を取得するようにしている。
【００３４】
三相変圧器０１２０の端子０１２１に電気を引き込む高圧ＣＶケーブル０１３０は、図１Ｆに示すように、導体０１３１を中心にしてこの導体０１３１を内部半導電層０１３２、架橋ポリエチレン絶縁体０１３３、外部半導電層０１３４、金属遮蔽層（遮蔽用銅テープ）０１３５及び防食層０１３６で順次被覆して成っている。
【００３５】
高圧ＣＶケーブル０１３０の金属遮蔽層０１３５にはシースアース０１３７が施してあり、３本の高圧ＣＶケーブル０１３０，０１３０，０１３０の各シースアース０１３７，０１３７，０１３７は、リング状の零相変流器０１３８に一括して通してある。
【００３６】
３本の高圧ＣＶケーブル０１３０，０１３０，０１３０のいずれにも絶縁劣化（漏電）が生じていない場合には、この零相変流器０１３８の二次側には電流が流れないが、１本の高圧ＣＶケーブル０１３０に絶縁劣化が生じてこれに接続するシースアース０１３７を通して他の２本のシースアース０１３７，０１３７とは異なるシース電流が大地Ｅに流れた場合は、三相間のシース電流のバランスが崩れて零相変流器０１３８の二次側に交流の電流が流れることになる。
【００３７】
つまり、この零相変流器０１３８は、３本の高圧ＣＶケーブル０１３０，０１３０，０１３０のうちの１本の高圧ＣＶケーブル０１３０に絶縁劣化が生じて、これに対応するシースアース０１３７に他の２本のシースアース０１３７，０１３７とは異なるシース電流が流れた際に、二次側に流れる電流を検出して測定するようになっている。
【００３８】
加えて、この零相変流器０１３８では、二次側に流れる電流の位相差と三相各相の電圧の位相差とから、絶縁劣化が生じている高圧ＣＶケーブル０１３０の特定も可能となっている。
【００３９】
図２に示すように、本実施形態の高圧ＣＶケーブル絶縁劣化情報取得装置０２００は、シース側取得部０２０１と、低圧側取得部０２０２と、高圧側時間関数演算部０２０３と、位相ずれ量演算部０２０４と、絶縁劣化情報取得部０２０５と、を有している。
【００４０】
シース側取得部０２０１は、１本の高圧ＣＶケーブルに絶縁劣化が生じて対応するシースアースにシース電流が流れた場合に、零相変流器の二次側に流れる電流の時間関数又はシース電圧の時間関数を取得する。
【００４１】
この実施形態において、高圧ＣＶケーブル絶縁劣化情報取得装置０２００は、デジタル信号処理技術の帯域通過フィルタ回路（図１Ａの０１０７）を内蔵しており、シース側取得部０２０１では、上記のように零相変流器の二次側に流れる交流の電流に含まれている高調波成分から不要高調波成分を除去して、商用周波数成分の零相電流Ｉ（ｔ）を抽出するようにしている。なお、この商用周波数成分以外の高調波の不要成分は、帯域通過フィルタ回路で除去されるものの計測はされている。この高調波の不要成分の計測値は、後述のごとく、高圧ＣＶケーブルの絶縁劣化の程度を判定する際に、より細かく変動漸増傾向等を観察するのに利用される。
【００４２】
低圧側取得部０２０２は、電源側の高圧ＣＶケーブルと接続する三相変圧器の低圧側において、電圧ケーブルを介して低圧電圧の時間関数又は低圧側の電流の時間関数を取得する。
【００４３】
高圧側時間関数演算部０２０３は、低圧側取得部０２０２にて取得した三相変圧器の低圧側における低圧電圧の時間関数又は電流の時間関数に基づいて、三相変圧器の高圧側における高圧電圧の時間関数又は高圧側の電流の時間関数を演算により取得する。
【００４４】
ここで、三相変圧器の高圧側と低圧側との間には既知の位相差が発生しており、高圧側時間関数演算部０２０３では、ソフトウェアによって低圧側の電圧の位相角を高圧側の電圧の位相角に変換して等価と見做すこととしている。
【００４５】
位相ずれ量演算部０２０４は、シース側取得部０２０１で取得したシース電流の時間関数又はシース電圧の時間関数、この実施形態では、シース電流に基づく零相変流器の二次側に流れる交流の漏れ電流（IO（ｔ））（以降（ｔ）は省略する）に基づいて形成される電圧の位相と、高圧側時間関数演算部０２０３にて演算により取得した高圧側の高圧電圧の時間関数又は高圧側の電流の時間関数、この実施形態では、高圧側の電圧の位相と、に基づいて、漏れ電流（IO）によって形成される電圧の位相が、完全に絶縁されていたと仮定した場合の漏れ電流（IO）によって形成される電圧の位相からどの程度の位相ずれ量があるかを演算する。
【００４６】
シース側取得部０２０１で取得した漏れ電流（IO）は、抵抗性漏れ電流（IOR）及び容量性漏れ電流（IOC）を含んでおり、図３の位相差比較図に示すように、高圧側時間関数演算部０２０３で演算されて得た高圧側の電圧の位相を横軸とした場合、抵抗性漏れ電流（IOR）によって形成される電圧の位相は横軸上に重ねて示され、容量性漏れ電流（IOC）によって形成される電圧の位相は縦軸上に重ねて示される。
【００４７】
つまり、完全に絶縁されていたと仮定した場合の漏れ電流（IO）によって形成される電圧の位相V（IOC）は、抵抗性漏れ電流（IOR）がゼロなので、縦軸上の容量性漏れ電流によってのみ形成される電圧の位相になる。そして、絶縁が完全でない場合には、シースには抵抗性の漏れ電流成分（IOR）と、容量性の漏れ電流成分（IOC）との合成による漏れ電流成分により形成される電圧の位相V（IO）（＝（（IOR）2＋（IOC）2）1/2）が決定される。
したがって、完全に絶縁されていたと仮定した場合の漏れ電流（IO）に基づく電圧の位相に対する図３に仮想線で示す漏れ電流（IO）成分に基づく電圧の位相V（IO）のずれ量は、容量性漏れ電流（IOC）に基づく電圧の位相V（IOC）と成す角度θということになる。
【００４８】
絶縁劣化情報取得部０２０５は、位相ずれ量演算部０２０４で演算された位相ずれ量に基づいて高圧ＣＶケーブルの絶縁劣化を示す情報である絶縁劣化情報を取得するが、この実施形態において、絶縁劣化情報取得部０２０５は、絶縁劣化情報を取得するための位相ずれ量・絶縁劣化情報取得ルールを保持する位相ずれ量・絶縁劣化情報取得ルール保持手段０２０５ａを有している。
【００４９】
具体的には、位相ずれ量演算部０２０４で演算された容量性漏れ電流（IOC）により形成される電圧の位相と漏れ電流（IO）により形成される電圧の位相とが成す角度θから、以下に示す表１のNo3〜No9の項目（漏れ電流（IO）、及び、デジタル信号処理技術の帯域通過フィルタ回路で除去された高調波成分電流）を計測して、他のNo1,No2,No10,No11の項目はすべてNo3〜No9の計測値から算出する。
【００５０】
【表１】
0006757868.tif 000002
【００５１】
すなわち、高圧ＣＶケーブルの絶縁抵抗に関係するシース電流又はシース電圧の位相を算出すると共に、高圧ＣＶケーブルの完全絶縁状態と想定した場合のシースに発生する三相の電圧における各位相間の位相差が角度θである場合の抵抗性漏れ電流（IOR）によって形成される電圧の絶対値を容量性漏れ電流（IOC）によって形成される電圧の絶対値で除した値である誘電正接（Ｔａｎθ）及び誘電正接角θを算出する。
【００５２】
そして、これらの高圧ＣＶケーブルの絶縁劣化を示す情報である各電流の数値や、時系列の変動傾向や、各電流の数値の相互関係性等を監視することによって、高圧ＣＶケーブルの絶縁劣化の程度を判定する。例えば、位相ずれ量演算部０２０４で演算された位相ずれ量である角度θが大きい場合、或いは、これと同義の角度（９０°−θ）が小さい場合には、高圧ＣＶケーブルの絶縁劣化の程度が進んでいると言える。
【００５３】
図４に示すように、本実施形態の高圧ＣＶケーブル絶縁劣化情報取得装置０４００は、ＣＰＵ０４１１と、ＨＤＤ、ＲＯＭ等の不揮発性メモリ０４１２と、Ｄ−ＲＡＭ等のメインメモリ０４１３と、インターフェースとから構成されている。不揮発性メモリ０４１２には、シース側取得プログラム、低圧側取得プログラム、高圧側時間関数演算プログラム、位相ずれ量演算プログラム、絶縁劣化情報取得プログラム、位相ずれ量・絶縁劣化情報取得ルール保持サブプログラムが格納されている。データとしては、電流信号や位相角の情報であり、これらのプログラムやデータは、メインメモリ０４１３の保持領域に読み込まれて作動領域で実行される。
＜処理の流れ＞
【００５４】
本実施形態の高圧ＣＶケーブル絶縁劣化情報取得装置では、まず、図５に示すように、１本の高圧ＣＶケーブルに絶縁劣化が生じてこれに対応するシースアースに他の２本のシースアースとは異なるシース電流が流れると、シース側取得ステップＳ０５０１が実行されて、零相変流器の二次側に流れる電流に含まれている高調波成分から不要高調波成分を除去して、商用周波数成分の零相電流、すなわち、漏れ電流（IO）が抽出される。
【００５５】
次に、低圧側取得ステップＳ０５０２が実行されて、電源側の高圧ＣＶケーブルと接続する三相変圧器の低圧側において、電圧ケーブルを介して低圧電圧の位相が取得される。
【００５６】
続いて、高圧側時間関数演算ステップＳ０５０３が実行されて、低圧側取得ステップＳ０５０２にて取得した三相変圧器の低圧側における低圧電圧の位相角に基づいて、三相変圧器の高圧側における高圧電圧の位相角を演算する。
【００５７】
このとき、三相変圧器の高圧側と低圧側との間には既知の位相差が発生しており、高圧側時間関数演算ステップＳ０５０３では、ソフトウェアによって低圧側の低圧電圧の位相角を高圧側の高圧電圧の位相角に変換して等価とするべく演算する。
【００５８】
次いで、位相ずれ量演算ステップＳ０５０４が実行されて、シース側取得ステップＳ０５０１で取得したシース電流の時間関数又はシース電圧の時間関数、この実施形態では、シース電流に基づく零相変流器の二次側に流れる交流の漏れ電流（IO）によって形成される電圧の位相と、高圧側時間関数演算ステップＳ０５０３にて演算により取得した高圧側の電圧の時間関数又は高圧側の電流の時間関数、この実施形態では、高圧側の電圧の位相と、に基づいて、漏れ電流（IO）によって形成される電圧の位相が、完全に絶縁されていたと仮定した場合の漏れ電流（IO）によって形成される電圧の位相からどの程度の位相ずれ量があるかを演算する。
【００５９】
この際、完全に絶縁されていたと仮定した場合の漏れ電流（IO）によって形成される電圧の位相は、抵抗性漏れ電流（IOR）がゼロなので、容量性漏れ電流（IOC）によってのみ形成される電圧の位相になる。そして、絶縁が完全でない場合には、シースには抵抗性の漏れ電流成分（IOR）と、容量性の漏れ電流成分（IOC）との合成による漏れ電流成分により形成される電圧の位相（IO）が決定され、完全に絶縁されていたと仮定した場合の漏れ電流（IO）に基づく電圧の位相に対する漏れ電流（IO）成分に基づく電圧の位相のずれ量は、容量性漏れ電流（IOC）に基づく電圧の位相と成す角度θになる。
【００６０】
この後、絶縁劣化情報取得ステップＳ０５０５が実行されて、位相ずれ量演算ステップＳ０５０４で演算された位相ずれ量である角度θに基づいて高圧ＣＶケーブルの絶縁劣化を示す情報である絶縁劣化情報が取得される。
【００６１】
この絶縁劣化情報取得ステップＳ０５０５では、位相ずれ量・絶縁劣化情報取得ルール保持サブステップＳ０５０５ａが実行されて、位相ずれ量である角度θから、表１のNo3〜No9の項目が計測され、これらの計測値から、高圧ＣＶケーブルの絶縁抵抗に関係するシース電流又はシース電圧の位相が算出されると共に、高圧ＣＶケーブルの完全絶縁状態と想定した場合のシースに発生する各相間の電圧の位相の位相差が角度θである場合の抵抗性漏れ電流（IOR）によって形成される電圧の絶対値を容量性漏れ電流（IOC）によって形成される電圧の絶対値で除した値である誘電正接（Ｔａｎθ）及び誘電正接角（θ）が算出される。
【００６２】
そして、これらの高圧ＣＶケーブルの絶縁劣化を示す情報である各電流の数値や、時系列の変動傾向や、各電流の数値の相互関係性等を監視することによって、高圧ＣＶケーブルの絶縁劣化の有無、及び、絶縁劣化が生じている場合にはその程度の判定が成されることとなる。
【００６３】
本実施形態では、高圧ＣＶケーブル絶縁劣化情報取得装置の絶縁劣化情報取得対象が、単心形の高圧ＣＶケーブルである場合を示したが、これに限定されるものではなく、例えば、図６Ａに示すように、３本の小径ＣＶケーブル０６３０Ｓを防食層０６３６で被覆して成る三心一括形の高圧ＣＶケーブル０６３０Ａであってもよいし、図６Ｂに示すように、３本の単心形の高圧ＣＶケーブル０６３０をより合わせて成るトリプレックスケーブル０６３０Ｂであってもよい。
＜効果＞
【００６４】
上記したように、本実施形態に係る高圧ＣＶケーブル絶縁劣化情報取得装置では、高圧ＣＶケーブルの絶縁劣化情報を得るための電圧を三相変圧器の高圧側から直接取得するのではなく低圧側から取得するようにしているので、安全にそして停電を必要とすることなく絶縁劣化情報を得ることが可能である。
【００６５】
また、本実施形態に係る高圧ＣＶケーブル絶縁劣化情報取得装置では、高圧ＣＶケーブルに施したシースアースを流れるシース電流から絶縁劣化情報を得るようにしているので、遠隔での測定が可能である。
【００６６】
さらに、本実施形態に係る高圧ＣＶケーブル絶縁劣化情報取得装置では、絶縁劣化情報を得るための電源を別途必要としないので、装置の小型化及びより一層の低コスト化を実現することができるという効果を奏する。
【００６７】
さらにまた、本実施形態に係る高圧ＣＶケーブル絶縁劣化情報取得装置では、絶縁劣化情報取得部が、絶縁劣化情報を取得するための位相ずれ量・絶縁劣化情報取得ルールを保持する位相ずれ量・絶縁劣化情報取得ルール保持手段を有しているので、確度の高い絶縁劣化情報を数多く取得できる。
＜実施形態２（主に請求項３に対応）＞
＜概要＞
【００６８】
本実施形態は実施形態１を基本とし、絶縁劣化情報取得部が、実際に高圧ＣＶケーブルを調査して入手した絶縁劣化情報である実測絶縁劣化情報を取得する実測絶縁劣化情報取得手段と、取得した実測絶縁劣化情報に基づいて位相ずれ量・絶縁劣化情報取得ルールを修正するルール修正手段と、をさらに有する構成としたことを特徴としている。
このように、本実施形態では、実際の高圧ＣＶケーブルから実測絶縁劣化情報を取得し、その実測絶縁劣化情報に基づいて位相ずれ量・絶縁劣化情報取得ルールを修正するので、取得する絶縁劣化情報の確度を高め得るという効果を奏する。
＜構成＞
【００６９】
図７に示すように、本実施形態に係る高圧ＣＶケーブル絶縁劣化情報取得装置０７００において、先の実施形態と相違するところは、絶縁劣化情報取得部０７０５が、実測絶縁劣化情報取得手段０７０５ｂを有しているのに加えて、ルール修正手段０７０５ｃをさらに有している点にあり、他の構成は先の実施形態と同じである。
【００７０】
実測絶縁劣化情報取得手段０７０５ｂは、図８に示すように、実際に高圧ＣＶケーブルを調査して入手した絶縁劣化情報である実測・絶縁劣化情報Ｂを取得し、ルール修正手段０７０５ｃは、実測絶縁劣化情報取得手段０７０５ｂで取得した実測・絶縁劣化情報Ｂに基づいて位相ずれ量・絶縁劣化情報取得ルールを修正する。
【００７１】
つまり、演算された位相ずれ量に基づいて取得した演算・絶縁劣化情報Ａと実測・絶縁劣化情報Ｂとを比較して、実測・絶縁劣化情報Ｂが演算された位相ずれ量に基づく演算・絶縁劣化情報Ａよりも確度が高い場合には、ルール修正手段０７０５ｃによって位相ずれ量・絶縁劣化情報取得ルールを修正し、実測・絶縁劣化情報Ｂに基づいて高圧ＣＶケーブルの絶縁劣化の程度の判定を行う。
【００７２】
図９に示すように、この高圧ＣＶケーブル絶縁劣化情報取得装置０９００は、ＣＰＵ０９１１と、ＨＤＤ、ＲＯＭ等の不揮発性メモリ０９１２と、Ｄ−ＲＡＭ等のメインメモリ０９１３と、インターフェースとから構成されている。不揮発性メモリ０９１２には、シース側取得プログラム、低圧側取得プログラム、高圧側時間関数演算プログラム、位相ずれ量演算プログラム、絶縁劣化情報取得プログラム、位相ずれ量・絶縁劣化情報取得ルール保持サブプログラム、実測絶縁劣化情報取得サブプログラム、ルール修正サブプログラムが格納されている。データとしては、電流信号や位相角の情報であり、これらのプログラムやデータは、メインメモリ０９１３の保持領域に読み込まれて作動領域で実行される。
＜処理の流れ＞
【００７３】
本実施形態に係る高圧ＣＶケーブル絶縁劣化情報取得装置では、図１０に示すように、絶縁劣化情報取得ステップＳ１００５が実行される場合において、実測絶縁劣化情報取得ステップＳ１００５ｂが実行されて、実際に高圧ＣＶケーブルを調査して入手した絶縁劣化情報である実測絶縁劣化情報が取得され、続いて、ルール修正ステップＳ１００５ｃが実行されて、実測絶縁劣化情報取得ステップＳ１００５ｂで取得された実測絶縁劣化情報に基づいて位相ずれ量・絶縁劣化情報取得ルールを修正するようになっている。
【００７４】
つまり、本実施形態では、実際の高圧ＣＶケーブルから取得した実測絶縁劣化情報と、演算された位相ずれ量に基づいて取得した絶縁劣化情報とを比較して、演算された位相ずれ量に基づく絶縁劣化情報よりも実測絶縁劣化情報の確度が高い場合には、実測絶縁劣化情報に基づいて高圧ＣＶケーブルの絶縁劣化の程度の判定を行ので、取得する絶縁劣化情報の確度が高まることとなる。
＜効果＞
【００７５】
上記したように、この実施形態２に係る高圧ＣＶケーブル絶縁劣化情報取得装置では、確度の高い絶縁劣化情報を取得することができるという効果を奏する。
＜実施形態３（主に請求項７に対応）＞
＜概要＞
【００７６】
本実施形態に係る高圧ＣＶケーブル絶縁劣化測定装置は、高圧ＣＶケーブルのシース電流の時間関数又はシース電圧の時間関数を測定するシース側測定部と、測定されたシース電流の時間関数又はシース電圧の時間関数を蓄積するシース側蓄積部と、高圧ＣＶケーブルの交流の変圧器を経た低圧側の電圧の時間関数又は電流の時間関数を測定する低圧側測定部と、測定された低圧側の電圧の時間関数又は電流の時間関数をシース側測定部で測定されたシース電流の時間関数と同じ時間軸を用いて蓄積する低圧側蓄積部と、を有することを特徴としている。
本実施形態に係る高圧ＣＶケーブル絶縁劣化測定装置では、高圧ＣＶケーブルの絶縁劣化状態を測定することができると共に、絶縁劣化状態データを管理することができるという効果を奏する。
＜構成＞
【００７７】
図１１に示すように、本実施形態に係る高圧ＣＶケーブル絶縁劣化測定装置１１００は、電源である電力会社から電流又は電圧の位相を互いにずらした３系統の単相交流を組み合わせた三相交流の高圧（例えば、６６００Ｖ）の電気が給電される三相変圧器１１２０に付設されて、この三相変圧器１１２０の電源側に位置する３個の高圧側端子１１２１，１１２１，１１２１に電気を引き込む３本の単心形の高圧ＣＶケーブル１１３０，１１３０，１３０の絶縁劣化状態を測定するのに用いられる。
【００７８】
この場合、三相変圧器１１２０は、降圧用の変圧器として用いられ、その電源側に位置する一次側である高圧側と二次側である低圧側との結線は、スター結線とデルタ結線を組み合わせたスター・デルタ結線となっている。
【００７９】
この三相変圧器１１２０の低圧側には、３本の低圧側ケーブル１１２２，１１２２，１１２２が接続された３個の低圧側端子１１２２，１１２２，１１２２が配置してあり、本実施形態の高圧ＣＶケーブル絶縁劣化測定装置１１００は、これらの低圧側端子１１２２，１１２２，１１２２から引いた電圧ケーブル１１２３，１１２３，１１２３を介して低圧電源（２００Ｖ）を取得するようにしている。
【００８０】
高圧ＣＶケーブル１１３０の金属遮蔽層（図示省略）にはシースアース１１３７が施してあり、３本の高圧ＣＶケーブル１１３０，１１３０，１１３０の各シースアース１１３７，１１３７，１１３７は、リング状の零相変流器１１３８に一括して通してある。
【００８１】
この零相変流器１１３８は、３本の高圧ＣＶケーブル１１３０，１１３０，１１３０のうちの１本の高圧ＣＶケーブル１１３０に絶縁劣化が生じて、対応する１本のシースアース１１３７に他の２本のシースアース１１３７，１１３７とは異なるシース電流が流れた際に、二次側に流れる交流の電流を検出して測定するようになっている。
【００８２】
図１２に示すように、本実施形態の高圧ＣＶケーブル絶縁劣化測定装置１２００は、シース側測定部１２０１と、シース側蓄積部１２０２と、低圧側測定部１２０３と、低圧側蓄積部１２０４と、を有している。
【００８３】
シース側測定部１２０１は、高圧ＣＶケーブルのシース電流の時間関数又はシース電圧の時間関数、例えば、シース電流に基づく零相変流器の二次側に流れる交流の漏れ電流によって形成される電圧の時間関数を測定し、シース側蓄積部１２０２は、シース側測定部１２０１で測定された漏れ電流によって形成される電圧の時間関数を蓄積する。
【００８４】
一方、低圧側測定部１２０３は、高圧ＣＶケーブルの交流の変圧器を経た低圧側の電圧の時間関数又は電流の時間関数、例えば、低圧側の電圧の時間関数を測定し、低圧側蓄積部１２０４は、低圧側測定部１２０３で測定された低圧側の電圧の時間関数をシース側測定部１２０１で測定された漏れ電流によって形成される電圧の時間関数と同じ時間軸を用いて蓄積する。
＜効果＞
【００８５】
上記したように、この実施形態に係る高圧ＣＶケーブル絶縁劣化測定装置では、高圧ＣＶケーブルの絶縁劣化状態を測定することができるだけでなく、高圧ＣＶケーブルの絶縁劣化に係る情報をデータ化することができるという効果を奏する。
【符号の説明】
【００８６】
０１００    高圧ＣＶケーブル絶縁劣化情報取得装置
０１２０    三相変圧器
０１３０    高圧ＣＶケーブル
０１３７    シースアース
０２０１    シース側取得部
０２０２    低圧側取得部
０２０３    高圧側時間関数演算部
０２０４    位相ずれ量演算部
０２０５    絶縁劣化情報取得部
【要約】
【課題】小型化及び低コスト化を実現し、停電を必要とすることなく、オンラインによって絶縁劣化情報が得られる高圧ＣＶケーブル絶縁劣化情報取得装置を提供する。
【解決手段】高圧ＣＶケーブルのシース電流に基づく漏れ電流により形成される電圧の位相を取得するシース側取得部と、変圧器を経た低圧側の電圧の位相を取得する低圧側取得部と、低圧側の電圧の位相に基づいて高圧側の電圧の位相を演算する高圧側時間関数演算部と、シース電流に基づく漏れ電流により形成される電圧の位相と、高圧側の電圧の位相と、に基づいて、漏れ電流により形成される電圧の位相が、完全に絶縁されていたと仮定した場合の漏れ電流により形成される電圧の位相からどの程度の位相ずれ量があるか、を演算する位相ずれ量演算部と、演算された位相ずれ量に基づいて高圧ＣＶケーブルの絶縁劣化を示す情報である絶縁劣化情報を取得する絶縁劣化情報取得部と、を有する。
【選択図】図２【図１Ａ】
0006757868.tif 000003
【図１Ｂ】
0006757868.tif 000004
【図１Ｃ】
0006757868.tif 000005
【図１Ｄ】
0006757868.tif 000006
【図１Ｅ】
0006757868.tif 000007
【図１Ｆ】
0006757868.tif 000008
【図２】
0006757868.tif 000009
【図３】
0006757868.tif 000010
【図４】
0006757868.tif 000011
【図５】
0006757868.tif 000012
【図６Ａ】
0006757868.tif 000013
【図６Ｂ】
0006757868.tif 000014
【図７】
0006757868.tif 000015
【図８】
0006757868.tif 000016
【図９】
0006757868.tif 000017
【図１０】
0006757868.tif 000018
【図１１】
0006757868.tif 000019
【図１２】
0006757868.tif 000020
【図１３】
0006757868.tif 000021